(57)【特許請求の範囲】
【請求項１】
分割された映像データと前記映像データが記録された記録媒体を識別する記録媒体識別情報とがそれぞれ記録された複数の記録媒体を挿入可能な複数の記録媒体挿入部であって、ペアリングされた２つの記録媒体毎に挿入可能な２つのスロットを有する複数の記録媒体挿入部と、
前記複数の記録媒体挿入部で前記映像データが記録された複数の記録媒体の前記記録媒体識別情報と各記録媒体が挿入されていたスロット番号と前記複数の記録媒体挿入部に対応する機器番号とを一組とする複数の記録媒体情報をクリップ関連情報として記録された他の記録媒体を挿入可能な他の記録媒体挿入部と、
前記複数の記録媒体挿入部に挿入された各記録媒体を識別する記録媒体識別情報を取得するとともに、前記記録媒体識別情報と各記録媒体が挿入されていたスロット番号と各記録媒体挿入部に対応する機器番号とを一組の記録媒体情報としてそれぞれ通知する複数の記録媒体制御部と、
前記他の記録媒体挿入部に挿入された他の記録媒体から読み出された前記クリップ関連情報を通知する他の記録媒体制御部と、
情報を表示する表示部と、
前記他の記録媒体制御部から通知されたクリップ関連情報と、前記複数の記録媒体制御部から通知された各一組の記録識別情報とに基づいて、記録時とは異なる記録媒体の挿入、記録時とは異なる記録媒体挿入部への記録媒体の挿入、記録時とは異なるペアリングの記録媒体の前記記録媒体挿入部への挿入を検出し、不一致の程度に応じて、前記表示部に異なる警告を表示するよう制御する表示制御部と、
を備える表示装置。
【発明の詳細な説明】
【技術分野】
【０００１】
本発明は複数の記録媒体を挿入可能な複数の記録媒体挿入部を含む表示装置に関するものであり、特に挿入された記録媒体が適切な記録媒体挿入部に挿入されているかを表示する表示装置に関するものである。
【背景技術】
【０００２】
映像データのような大量のデータを記録する場合には、転送速度性能と記録容量を向上させるために、データを複数の記録メディアに振り分けて記録するストライピング記録が一般的に知られている。
【０００３】
複数の記録メディアに振り分けて記録した映像データを再生する際には、記録時と同一の記録メディアの組を挿入する必要があるが、記録メディアの数の増加に伴い、記録メディアを管理するのが困難であるという課題がある。
【０００４】
データを複数の記録メディアに記録する技術として、特許文献１に開示の技術がある。特許文献１において、記録制御装置は、複数の磁気ディスク装置それぞれに、各磁気ディスク装置を識別するための識別情報を記録するとともに、フラッシュメモリに、複数の磁気ディスク装置それぞれに記録した識別情報を記憶させる。そして、複数の磁気ディスク装置それぞれに記録された識別情報と、フラッシュメモリの記憶内容とを比較することにより、磁気ディスク装置が交換されたかどうかを認識することが可能となる。
【先行技術文献】
【特許文献】
【０００５】
【特許文献１】特開平１１−２１２７３２号公報
【発明の概要】
【発明が解決しようとする課題】
【０００６】
しかしながら、上記従来の技術では、記録媒体が交換されたかどうかを識別することができるものの、記録媒体の数の増加に伴って、記録時と同一の記録媒体が挿入されているか否か、又は記録媒体が正しい記録媒体挿入部に挿入されているか否かを判断できないという課題がある。
【課題を解決するための手段】
【０００７】
本発明は上記課題を解決するものであり、表示装置は、映像データと前記映像データが記録された記録媒体を識別する記録先識別情報とが記録された複数の記録媒体を挿入可能な複数の記録媒体挿入部と、前記記録媒体挿入部に挿入された記録媒体を識別する識別情報を取得するとともに、前記記録先識別情報を取得する記録媒体制御部と、情報を表示する表示部と、前記記録媒体制御部で取得した前記識別情報と前記記録先識別情報とを比較し、記録時に装着された記録媒体と同一の記録媒体が挿入されているかを検出し、不一致の程度に応じて、異なる警告を前記表示部に表示するよう制御する表示制御部と、を備える。
【発明の効果】
【０００８】
上記の構成によって、表示装置は、複数の記録媒体について、記録時と同一の記録媒体が挿入されているか否か、又は記録媒体が正しい記録媒体挿入部に挿入されているか否かを表示することができる。
【図面の簡単な説明】
【０００９】
【図１】実施の形態１における表示装置の構成を示す図
【図２】実施の形態１における表示装置の内部構成を示すブロック図
【図３】実施の形態１における表示装置の記録時の動作を示すフローチャート
【図４】実施の形態１における表示装置の再生時の動作を示すフローチャート
【図５】実施の形態１における表示装置で記録媒体を跨って記録された記録媒体の挿入状態を作成するフローチャート
【図６】実施の形態１における表示装置で記録媒体の挿入状態を作成するフローチャート
【図７】実施の形態１における表示装置で記録媒体の挿入状態を示す画面を表す図
【発明を実施するための形態】
【００１０】
（実施の形態１）
以下、表示装置の一実施の形態について図面を用いて詳細に説明する。
【００１１】
（１．表示装置の構成）
図１は、実施の形態１における表示装置の外観構成を模式的に示す図である。本実施の形態の表示装置１００は、モニタ１１０と記録媒体挿入部１２０〜１３６と操作パネル１４０で構成される。記録媒体挿入部１２０〜１３６は、それぞれ、記録媒体を挿入できるスロットを２つ有している。
【００１２】
図２は表示装置の内部構成を示すブロック図である。ユーザーが各種操作を行うため操作パネル１４０と、各種情報を表示するためのモニタ１１０と、記録するための映像信号が入力される映像入力Ｉ／Ｆ２０６と、記録媒体挿入部１２０〜１３６と、映像入力Ｉ／Ｆ２０６から入力される映像信号や関連情報の記録媒体２２４〜２５７への記録・再生を制御する記録媒体制御部２０７〜２２３と、各種操作に対応するプログラムが保存されるＲＯＭ（Ｒｅａｄ−Ｏｎｌｙ  Ｍｅｍｏｒｙ）２０２と、ＲＯＭ２０２に保存されているプログラムを読出し実行するＣＰＵ（Ｃｅｎｔｒａｌ  Ｐｒｏｃｅｓｓｉｎｇ  Ｕｎｉｔ）２０１と、各種データを一時的に保管しておくＲＡＭ（Ｒａｎｄｏｍ−Ａｃｃｅｓｓ  Ｍｅｍｏｒｙ）２０３で構成される。記録媒体挿入部１２０〜１３６は、それぞれ記録媒体制御部２０７〜２２３に対応する。
【００１３】
モニタ１１０は、液晶パネルで構成される。モニタ１１０は液晶パネルに限らず、ＣＲＴ（Ｃａｔｈｏｄｅ  Ｒａｙ  Ｔｕｂｅ）でもよいし、プラズマディスプレイであってもよい。
【００１４】
操作パネル１４０は、複数の操作キーや、操作ボタンや、操作ダイヤルにより構成される。
【００１５】
記録媒体挿入部１２０〜１３６に挿入される記録媒体２２４〜２５７は、半導体メモリカードである。記録媒体２２４〜２５７は、半導体メモリカードに限らず、データを記録でき、記録媒体を一意に識別する情報を保持するものであればよく、光ディスクや、ハードディスク等であってもよい。
【００１６】
（２−１．表示装置の記録時の動作）
図３は本実施の形態の表示装置を用いて記録を行う処理の手順を示すフローチャートである。Ｓ３０１にて、映像入力Ｉ／Ｆ２０６より入力される映像信号がモニタ１１０に表示される。Ｓ３０２にて、ユーザーにより所望のタイミングで操作パネル１４０を用いて記録開始の操作が行われると、操作パネル１４０は記録開始コマンドをＣＰＵ２０１に伝える。
【００１７】
Ｓ３０３にて、ＣＰＵ２０１は、記録開始コマンドに応じたプログラムをＲＯＭ２０２から読出して実行する。ＣＰＵ２０１は、映像入力Ｉ／Ｆ２０６から入力される映像信号を一旦ＲＡＭ２０３に溜めた後、分割して記録媒体制御部２０８〜２２３へ送る。各記録媒体制御部は、ＣＰＵ２０１にて分割送信されてきた映像信号を記録媒体挿入部１２１〜１３６の第１のスロットに挿入された記録媒体２２６〜２４１にクリップとして記録を開始すると同時に、記録媒体のＩＤを記録媒体２２４〜２５７から読出しＲＡＭ２０３に保存する。ただし、第１のスロットに挿入された記録媒体２２６〜２４１が一杯になった場合は、自動的に第２のスロットに挿入されている記録媒体２４２〜２５７に対して記録を継続する。ここで、クリップは記録開始から記録終了までの一連の映像信号を称したものである。
【００１８】
Ｓ３０４にて、ユーザーにより所望のタイミングで、操作パネル１４０を用いて記録停止の操作が行われると、操作パネル１４０は記録終了コマンドをＣＰＵ２０１に伝える。ＣＰＵ２０１は、記録停止コマンドに応じたプログラムをＲＯＭ２０２から読出して実行を開始する。ＣＰＵ２０１は、映像入力Ｉ／Ｆ２０６から入力される映像信号を各記録媒体制御部へ分割送信するのをやめ、クリップとしての記録を停止するよう各記録媒体制御部へ指示する。
【００１９】
Ｓ３０５にて、ＣＰＵ２０１は、各記録媒体制御部に対して、記録に用いた記録媒体のＩＤを問い合わせる。各記録媒体制御部は、ＣＰＵ２０１の問い合わせに対し、Ｓ３０３にてＲＡＭ２０３に保存していた記録媒体のＩＤとその記録媒体が挿入されていたスロット番号と各記録媒体制御部に対応する機器番号を一組の記録媒体情報としてＣＰＵ２０１に通知する。
【００２０】
ＣＰＵ２０１は全ての記録媒体制御部から記録媒体情報を集め終わると、記録媒体制御部２０７に保存するよう指示し、記録媒体制御部２０７に全記録媒体情報を送信する。記録媒体制御部２０７は送られた全記録媒体情報をクリップ関連情報として記録媒体２２４又は２２５に記録する。
【００２１】
（２−２．表示装置の再生時の動作）
図４は本実施の形態の表示装置を用いて再生を行う処理の手順を示すフローチャートである。
【００２２】
Ｓ４０１にて、ユーザーがプロパティ表示したいクリップを操作パネル１４０にて選択してプロパティ表示の操作を行うと、操作パネル１４０はプロパティ表示コマンドをＣＰＵ２０１に通知する。
【００２３】
Ｓ４０２にて、ＣＰＵ２０１はプロパティ表示コマンドに応じたプログラムをＲＯＭ２０２から読出して実行する。ＣＰＵ２０１は、Ｓ４０１にて選択されたクリップに対応した記録媒体情報を取得するよう記録媒体制御部２０７に通知する。記録媒体制御部２０７は選択されたクリップに対応するクリップ関連情報を記録媒体２２４又は２２５から読出し、ＣＰＵ２０１に通知する。
【００２４】
Ｓ４０３にて、ＣＰＵ２０１は、各記録媒体制御部に対して、現在挿入されている記録媒体のＩＤを問い合わせる。各記録媒体制御部は、ＣＰＵ２０１の問い合わせに対し、現在挿入されている記録媒体のＩＤを読出し、挿入されていたスロット番号と各記録媒体制御部に対応する機器番号を一組の記録媒体情報として、ＣＰＵ２０１に通知する。
【００２５】
Ｓ４０４にて、ＣＰＵ２０１は、ユーザーの選択したクリップの関連情報と、現在挿入されている記録媒体２２４〜２５７の記録媒体情報を基に、図５もしくは図６に示すフローチャートに従って、プロパティ表示画面を作成する（後述）。
【００２６】
Ｓ４０５にて、ＣＰＵ２０１は、Ｓ４０４にて作成したプロパティ表示画面をモニタ１１０に表示するよう指示する。図７に、プロパティ表示画面の一例を示す。図７において、ＣｌｉｐＮａｍｅは選択したクリップを識別する情報であり、ＡＡＫ０９Ｅ０００１等で示される情報は、記録時の記録媒体のＩＤである。記録媒体のＩＤを表示するにあたって、その文字色と背景色とを、以下に示すフローチャートに従って変更する。
【００２７】
図５は２枚の記録媒体に跨ってクリップが記録されている場合の、プロパティ表示画面作成のフローチャートである。
【００２８】
Ｓ５０１にて、ＣＰＵ２０１は、記録時に使用した記録媒体ＩＤが現在挿入されている記録媒体情報の中に含まれるならば、記録媒体ＩＤの文字色を黒にし、含まれないなら、記録媒体ＩＤの文字色を赤色にする。
【００２９】
Ｓ５０２にて、ＣＰＵ２０１は、現在挿入されている記録媒体ＩＤが、クリップ関連情報の中に含まれないなら背景色を橙に、含まれるならＳ５０３に進む。
【００３０】
Ｓ５０３にて、現在挿入されている記録媒体は、記録時に挿入されていた機器番号と一致していないなら、Ｓ５０４へ進み、一致しているならＳ５０５に進む。
【００３１】
Ｓ５０４にて、現在挿入されている記録媒体ともう一つのスロットに挿入されている記録媒体の組合せが、記録時と同じであれば、背景色を緑にし、異なるのであれば、背景色を黄色にする。
【００３２】
Ｓ５０５にて、記録時に挿入されていたスロットと一致しているなら、背景色を白にし、異なるなら、背景色を青にする。
【００３３】
図６は１枚の記録媒体にクリップが記録されている場合のプロパティ表示画面作成のフローチャートである。
【００３４】
Ｓ６０１にて、ＣＰＵ２０１は、記録時に使用した記録媒体ＩＤが現在挿入されている記録媒体情報の中に含まれるならば、記録媒体ＩＤの文字色を黒にし、含まれないなら、記録媒体ＩＤの文字色を赤色にする。
【００３５】
Ｓ６０２にて、ＣＰＵ２０１は、現在挿入されている記録媒体ＩＤが、クリップ関連情報の中に含まれるならばＳ６０４に進み、含まれないならば、Ｓ６０３に進む。
【００３６】
Ｓ６０３にて、ＣＰＵ２０１は、現在挿入されている記録媒体の別スロットにも記録時に使用した記録媒体が挿入されているなら背景色を白にし、挿入されていないなら背景色を赤にする。
【００３７】
Ｓ６０４にて、現在挿入されている記録媒体は記録時に挿入されていた機器番号と一致しないならＳ６０５に進み、一致しているならＳ６０６に進む。
【００３８】
Ｓ６０５にて、現在挿入されている記録媒体ともう一つのスロットに挿入されている記録媒体が記録媒体情報の中に含まれるなら背景色を黄に、含まれないなら背景色を緑にする。
【００３９】
Ｓ６０６にて、記録時に挿入されていたスロットと一致しているなら、背景色を白にし、異なるなら、背景色を青にする。
【００４０】
ユーザーは、図５又は図６のフローチャートに従って表示されるプロパティ表示画面を基に、記録媒体の差し替えを行い、それぞれのスロットに記録時と同じ記録媒体が挿入された状態に変更する。
【００４１】
背景色が橙色のスロットに挿入された記録媒体は、スロットからはずす。その後、ユーザーは文字色が赤色のＩＤを持つ記録媒体を、スロットに挿入されていない記録媒体の中から探し、その記録媒体をスロットに挿入する。これにより、本来スロットに挿入されるべき記録媒体が全てスロットに挿入された状態となる。
【００４２】
次に背景色が黄色のスロットに挿入された記録媒体をはずす。その後、はずした記録媒体が記録時にペアリングされていた記録媒体のＩＤをプロパティ表示画面で確認する。記録時のペアリングが再現されるように、ペアリングされていた記録媒体のＩＤが現在挿入されているスロットとペアとなる、もう片方のスロットに挿入されている記録媒体と、はずした記録媒体とを入れ替える。この操作を背景色が黄色のスロットがなくなるまで続ける。
【００４３】
次に、背景色が緑色のスロットに挿入された記録媒体は、記録時の機器番号と一致するように、他の緑色のスロットに挿入された記録媒体とペアリングを保ちながら入れ替える。この操作を背景色が緑色のスロットがなくなるまで続ける。
【００４４】
次に、背景色が青色のスロットに挿入された記録媒体は、ペアリングを保ちながら、お互いのスロットを入れ替える。この操作を背景色が青色のスロットがなくなるまで続ける。これにより、記録時における記録媒体の挿入状態が復元する。
（３．まとめ）
複数の記録媒体に対し、ストライピング記録する機器において、記録媒体の挿入状態を記録時と同じ状態をユーザーが保つことは困難であり、間違った状態で挿入してしまい、再生出来ない状態に陥っても、本実施の形態の表示装置を用いることによって、容易に記録時の状態を再現することが可能である。
【００４５】
（その他の実施の形態）
本実施の形態では、記録媒体挿入部を１７個、文字色を赤と黒、背景色を青、緑、黄、橙、白として説明しているが、これは説明を簡単にするためであり、種々の変更が可能である。
【産業上の利用可能性】
【００４６】
本実施の形態にかかる表示装置は、複数の記録媒体について、記録時と異なる記録媒体が挿入されているか否か、正しい記録媒体挿入部に挿入されているか否かを表示することができ、業務用の映像データの再生装置等に適用することができ、有用である。
【符号の説明】
【００４７】
１００  表示装置
１１０  モニタ
１２０〜１３６  記録媒体挿入部
１４０  操作パネル
２０１  ＣＰＵ
２０２  ＲＯＭ
２０３  ＲＡＭ
２０６  映像入力Ｉ／Ｆ
２０７〜２２３  記録媒体制御部
２２４〜２５７  記録媒体
【図１】
0005560825.tif 000002
【図２】
0005560825.tif 000003
【図３】
0005560825.tif 000004
【図４】
0005560825.tif 000005
【図５】
0005560825.tif 000006
【図６】
0005560825.tif 000007
【図７】
0005560825.tif 000008